(57)【要約】【課題】  携帯電話機の周囲の照度に応じて、表示部５に表示する表示情報の転送レートを可変制御することで消費電力の削減を図る。【解決手段】  携帯電話機の周囲の照度が５００〜４９９９ルクスの場合（通常時）、ドライバ部２１と表示制御部２２との間の表示情報の転送レートを、通常の転送レートである３０ｆｐｓに、上記照度が５０００ルクス以上の場合（明光下時）、上記転送レートを、１５ｆｐｓに、上記照度が５００ルクス未満の場合（暗光下時）、上記転送レートを２０ｆｐｓに可変制御する。そして、このように転送レートを可変してドライバ部２１に転送した表示情報を、当該ドライバ部２１から例えば６０ｆｐｓ等の一定の転送レートで表示部５に転送して表示を行う。人間の目は、明光下時及び暗光下時で感度が鈍くなるため、上記転送レートの削減により、動画等の視聴に支障を来すことなく、消費電力の削減を図ることができる。【選択図】  図２
2009058691.tif 000002
【特許請求の範囲】
【請求項１】
表示制御手段からドライバ手段に対して転送した表示情報を、該ドライバ手段から表示手段に一定の転送量で転送して表示を行う表示制御装置であって、
周囲の照度を検出する照度センサと、
上記照度センサで検出される各照度と、該各照度毎の表示情報の転送量とが関連付けされて記憶された転送量テーブルと、
上記照度センサで検出された照度に基づいて上記転送量テーブルを参照することで、当該検出された照度に対応する上記表示情報の転送量を検出する転送量検出手段と、
上記表示制御手段から上記ドライバ手段に転送される上記表示情報の転送量が、上記転送量検出手段で検出された上記照度に応じた転送量となるように、上記表示制御手段を転送制御する転送量制御手段と
を有することを特徴とする表示制御装置。
【請求項２】
上記転送量テーブルには、上記照度センサで標準照度が検出された場合の上記転送量として、標準の転送量である第１の転送量が関連付けされて記憶されており、上記照度センサで上記標準照度よりも高い照度が検出された場合の上記転送量として、上記標準転送量である上記第１の転送量の約半分の転送量となる第２の転送量が関連付けされて記憶されており、上記照度センサで上記標準照度よりも低い照度が検出された場合の上記転送量として、上記標準転送量である上記第１の転送量の約２／３の転送量となる第３の転送量が関連付けされて記憶されていること
を特徴とする請求項１に記載の表示制御装置。
【請求項３】
表示制御手段からドライバ手段に対して転送した表示情報を、該ドライバ手段から表示手段に一定の転送量で転送して表示を行う表示制御方法であって、
照度センサで周囲の照度を検出するステップと、
転送量検出手段が、上記ステップで検出された照度に基づいて、上記照度センサで検出される各照度及び該各照度毎の表示情報の転送量が関連付けされて記憶された転送量テーブルを参照することで、当該検出された照度に対応する上記表示情報の転送量を検出するステップと、
上記表示制御手段から上記ドライバ手段に転送される上記表示情報の転送量が、上記ステップで検出された上記照度に応じた転送量となるように、転送量制御手段が上記表示制御手段を転送制御するステップと
を有することを特徴とする表示制御方法。
【請求項４】
表示制御手段からドライバ手段に対して転送した表示情報を、該ドライバ手段から表示手段に一定の転送量で転送して表示を行う表示制御プログラムであって、
周囲の照度を検出するように照度センサを制御する照度検出制御手段としてコンピュータを機能させ、
コンピュータを上記照度検出制御手段として機能させることで検出された照度に基づいて、上記照度センサで検出される各照度及び該各照度毎の表示情報の転送量が関連付けされて記憶された転送量テーブルを参照し、当該検出された照度に対応する上記表示情報の転送量を検出するように転送量検出手段を制御する転送量検出制御手段としてコンピュータを機能させ、
上記表示制御手段から上記ドライバ手段に転送される上記表示情報の転送量が、コンピュータを上記転送量検出制御手段として機能させることで検出された上記照度に対応する転送量となるように、上記表示制御手段を転送制御する転送量可変制御手段としてコンピュータを機能させること
を特徴とする表示制御プログラム。
【請求項５】
表示制御手段からドライバ手段に対して転送した表示情報を、該ドライバ手段から表示手段に一定の転送量で転送して表示を行う携帯端末装置であって、
周囲の照度を検出する照度センサと、
上記照度センサで検出される各照度と、該各照度毎の表示情報の転送量とが関連付けされて記憶された転送量テーブルと、
上記照度センサで検出された照度に基づいて上記転送量テーブルを参照することで、当該検出された照度に対応する上記表示情報の転送量を検出する転送量検出手段と、
上記表示制御手段から上記ドライバ手段に転送される上記表示情報の転送量が、上記転送量検出手段で検出された上記照度に応じた転送量となるように、上記表示制御手段を転送制御する転送量制御手段と
を有することを特徴とする携帯端末装置。
【発明の詳細な説明】
【技術分野】
【０００１】
本発明は、例えば携帯端末装置の製造業、携帯端末装置に用いるソフトウェア製作業等に産業上の利用可能性を有し、携帯電話機、ＰＨＳ電話機（PHS：Personal Handyphone System）、ＰＤＡ装置（PDA：Personal Digital Assistant）、携帯ゲーム機、ノート型のパーソナルコンピュータ装置、デジタルカメラ装置、ビデオカメラ装置等の携帯機器に適用して好適な表示制御装置、表示制御方法、表示制御プログラム、及び携帯端末装置に関する。
【背景技術】
【０００２】
携帯電話端末などに代表される携帯情報端末は、表示画面にＬＣＤ（液晶ディスプレイ）が設けられているが、近年、このＬＣＤの高精細化が進んでおり、これに伴い、ＬＣＤの消費電力が増加する傾向にある。このため、従来、無操作状態が所定時間以上経過した際に、ＬＣＤのバックライトを弱めたり消灯することで、該ＬＣＤの消費電力の軽減を図っている。
【０００３】
また、特開２０００−３０７６８６号の公開特許公報（特許文献１）に開示されている情報処理装置の場合、照度センサを用いて周囲の明るさを検出し、この周囲の明るさが、設定した明るさよりも暗い場合にのみ、ＬＣＤのバックライトを点灯させることで、該ＬＣＤの消費電力の削減を図っている。
【０００４】
【特許文献１】特開２０００−３０７６８６号公報
【発明の開示】
【発明が解決しようとする課題】
【０００５】
しかし、前述したようにＬＣＤの高精細化が進むと、必然的にＬＣＤに対するデータの転送量も増加するため、該ＬＣＤの消費電力が増加する問題を生ずる。
【０００６】
ここで、ＬＣＤは、周囲が明るい場所では見にくくなる。また、周囲が暗くなると人間の目の感度が落ちるため、ＬＣＤに表示される動画のフレーム数の変化に気づきにくくなる。すなわち、周囲が暗いと、通常のフレーム数の場合とフレーム数を削減した場合とで、人間の目には見分けが付きにくくなる。従って、周囲の明るさに応じて、ＬＣＤに対するデータの転送量を削減すれば、ユーザによる動画の視聴等に支障を来すことなく、ＬＣＤの消費電力の削減が可能となる。
【０００７】
本発明は、上述の課題を解決すべく、人間の生態的な特徴に基づいてなされたものであり、周囲の照度に応じて表示部に対するデータの転送量を可変することで、該表示部の消費電力の削減を図った表示制御装置、表示制御方法、表示制御プログラム、及び携帯端末装置の提供を目的とする。
【課題を解決するための手段】
【０００８】
本発明に係る表示制御装置は、表示制御手段からドライバ手段に対して転送した表示情報を、該ドライバ手段から表示手段に一定の転送量で転送して表示を行う表示制御装置であって、上述の課題を解決するための手段として、
周囲の照度を検出する照度センサと、
上記照度センサで検出される各照度と、該各照度毎の表示情報の転送量とが関連付けされて記憶された転送量テーブルと、
上記照度センサで検出された照度に基づいて上記転送量テーブルを参照することで、当該検出された照度に対応する上記表示情報の転送量を検出する転送量検出手段と、
上記表示制御手段から上記ドライバ手段に転送される上記表示情報の転送量が、上記転送量検出手段で検出された上記照度に応じた転送量となるように、上記表示制御手段を転送制御する転送量制御手段と
を有する。
【０００９】
また、本発明に係る表示制御方法は、表示制御手段からドライバ手段に対して転送した表示情報を、該ドライバ手段から表示手段に一定の転送量で転送して表示を行う表示制御方法であって、上述の課題を解決するための手段として、
照度センサで周囲の照度を検出するステップと、
転送量検出手段が、上記ステップで検出された照度に基づいて、上記照度センサで検出される各照度及び該各照度毎の表示情報の転送量が関連付けされて記憶された転送量テーブルを参照することで、当該検出された照度に対応する上記表示情報の転送量を検出するステップと、
上記表示制御手段から上記ドライバ手段に転送される上記表示情報の転送量が、上記ステップで検出された上記照度に応じた転送量となるように、転送量制御手段が上記表示制御手段を転送制御するステップと
を有する。
【００１０】
また、本発明に係る表示制御プログラムは、表示制御手段からドライバ手段に対して転送した表示情報を、該ドライバ手段から表示手段に一定の転送量で転送して表示を行う表示制御プログラムであって、上述の課題を解決するために、
周囲の照度を検出するように照度センサを制御する照度検出制御手段としてコンピュータを機能させ、
コンピュータを上記照度検出制御手段として機能させることで検出された照度に基づいて、上記照度センサで検出される各照度及び該各照度毎の表示情報の転送量が関連付けされて記憶された転送量テーブルを参照し、当該検出された照度に対応する上記表示情報の転送量を検出するように転送量検出手段を制御する転送量検出制御手段としてコンピュータを機能させ、
上記表示制御手段から上記ドライバ手段に転送される上記表示情報の転送量が、コンピュータを上記転送量検出制御手段として機能させることで検出された上記照度に対応する転送量となるように、上記表示制御手段を転送制御する転送量可変制御手段としてコンピュータを機能させる。
【００１１】
また、本発明に係る携帯端末装置は、表示制御手段からドライバ手段に対して転送した表示情報を、該ドライバ手段から表示手段に一定の転送量で転送して表示を行う携帯端末装置であって、上述の課題を解決するための手段として、
周囲の照度を検出する照度センサと、
上記照度センサで検出される各照度と、該各照度毎の表示情報の転送量とが関連付けされて記憶された転送量テーブルと、
上記照度センサで検出された照度に基づいて上記転送量テーブルを参照することで、当該検出された照度に対応する上記表示情報の転送量を検出する転送量検出手段と、
上記表示制御手段から上記ドライバ手段に転送される上記表示情報の転送量が、上記転送量検出手段で検出された上記照度に応じた転送量となるように、上記表示制御手段を転送制御する転送量制御手段と
を有する。
【００１２】
このような本発明は、表示制御手段からドライバ手段に対して転送した表示情報を、該ドライバ手段から表示手段に一定の転送量で転送して表示を行う際に、周囲の照度を検出し、この周囲の照度に対応する転送量となるように、上記表示制御手段と上記ドライバ手段との間の表示情報の転送量を可変制御することで、表示情報の転送量の削減を通じて消費電力の削減を図る。
【発明の効果】
【００１３】
本発明は、表示情報の転送量を周囲の照度に応じて可変することができるため、表示情報の表示を行う際に消費する電力の削減を図ることができる。
【発明を実施するための最良の形態】
【００１４】
以下、図面を参照しながら、本発明を適用した実施の形態となる携帯電話機の説明をする。
【００１５】
［携帯電話機の構成］
この実施の形態となる携帯電話機は、図１に示すように基地局との間で音声通話、テレビ電話通話、電子メール、Ｗｅｂデータ（Web：World Wide Web）等の無線通信を行うアンテナ１及び通信回路２と、受話音声、着信音、音楽コンテンツの音響出力等を出力するためのスピーカ部３と、送話音声等を集音するためのマイクロホン部４と、操作メニュー、電子メールや画像（静止画像及び動画像）等を表示するための表示部５と、所望のメニューやメッセージ等の入力選択操作等を行うための操作部６と、発着信等を光でユーザに通知するための発光部７（LED：Light Emitting Diode）と、所望の被写体の静止画像或いは動画像を撮像するためのカメラ部８とを有している。
【００１６】
また、この携帯電話機は、当該携帯電話機の筐体を振動させて発着信等をユーザに通知するためのバイブレーションユニット９と、時刻をカウントするタイマ１０と、当該携帯電話機の周囲の照度を検出する照度センサ１１と、ワンセグメント地上デジタルテレビジョン放送（通称「ワンセグ」）を受信するためのデジタル放送用アンテナ１２及びデジタルテレビジョン放送受信部１３（デジタルＴＶ放送受信部）と、基地局を介した無線通信処理を行うためのコミュニケーションプログラムや各種アプリケーションプログラムの他、これら各アプリケーションプログラムで取り扱われる各種データ（コンテンツ）等が記憶されたメモリ１４と、当該携帯電話機全体の動作を制御する制御部１５とを有している。
【００１７】
メモリ１４には、上記コミュニケーションプログラムの他、照度センサにより検出された当該携帯電話機の周囲の照度に基づいて、表示部５に表示する表示情報の転送レートを制御するための表示制御プログラムと、デジタルＴＶ放送受信部１３の受信制御を行うためのＴＶ受信制御プログラムと、電子メールの作成や送受信を制御するための電子メール管理プログラムと、カメラ部８の撮像制御を行うカメラ制御プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムと、コミュニケーションネットワークやインターネット等の所定のネットワーク上に設けられたサーバ装置上で公開されているＷｅｂページを閲覧するためのＷｅｂブラウジングプログラムとが記憶されている。
【００１８】
また、メモリ１４には、ユーザの所望のスケジュールが登録されるスケジュール帳と、ユーザの知人や友人等のユーザ名、静止画像（顔写真等）、住所、電話番号、電子メールアドレス、生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴と、照度センサ１１で検出される各照度及び該各照度毎の表示情報の転送レートとが関連付けされて記憶された転送量テーブル等が記憶されている。
【００１９】
デジタルＴＶ放送受信部１３は、ワンセグメント地上デジタルテレビジョン放送の受信チューナ部とＡＶコーデック部とを備えており、デジタル放送用アンテナ１２で受信されたデジタルテレビジョン放送信号の復調、アナログ／デジタル変換、圧縮符号化されているデータの伸張復号等の各処理を実行する。
【００２０】
表示部５としては、いわゆる液晶表示部（ＬＣＤ）が設けられている。なお、この表示部５としては、有機ＥＬディスプレイ（OLED:Organic Light Emitting Diode Display)を設けるようにしてもよい。
【００２１】
この表示部５には、図２に示すようにドライバ部２１（ＬＣＤドライバ）を介して表示制御部２２（ＬＣＤコントローラ：ＬＣＤＣ）が接続されており、表示部５とドライバ部２１との間は、例えば６０ｆｐｓ（fps：frame per second）等の固定の転送レートで表示情報の転送が行われ、ドライバ部２１と表示制御部２２との間は、照度センサ１１で検出される当該携帯電話機の周囲の照度に対応する照度情報に応じて、例えば１５ｆｐｓ〜３０ｆｐｓ等の可変転送レートで表示情報の転送が行われるようになっている。なお、ドライバ部２１と表示制御部２２との間における通常の転送レートは、３０ｆｐｓとなっている。
【００２２】
また、この例では、照度センサ１１で直接的に検出された照度情報を用いることとして説明を進めるが、この他、例えば照度センサ１１の代わりに、光の光量に応じて発電を行う光発電装置を設け、この光発電装置による発電出力電圧を上記照度情報として用いてもよい。
【００２３】
［転送レートの可変制御動作］
この実施の形態となる携帯電話機は、例えばデジタルＴＶ放送受信部１３で受信されたテレビジョン放送や、カメラ制御プログラムのビューワ機能に基づいて再生される静止画像コンテンツ或いは動画像コンテンツ、所定のゲームアプリケーションプログラムに基づいて再生されるゲーム画像等を表示部５に表示する際に、メモリ１４に記憶されている表示制御プログラムに基づいて、照度センサ１１で当該携帯電話機の周囲の照度を検出し、この検出した照度に応じて、図２に示すドライバ部２１及び表示制御部２２との間の転送レートを可変制御するようになっている。
【００２４】
図３のフローチャートに、上記表示制御プログラムに基づく転送レートの可変制御動作の流れを示す。制御部１５は、表示部５に対して上記テレビジョン放送、動画像コンテンツ或いは静止画像コンテンツ等の表示時となると、メモリ１４に記憶されている表示制御プログラムに基づいて、このフローチャートに示す各処理を開始する。
【００２５】
ステップＳ１では、制御部１５が、当該携帯電話機の周囲の照度を測定するように照度センサ１１を制御し、この照度センサ１１により検出された、現在における当該携帯電話機の周囲の照度に対応する照度情報を取り込んで、処理をステップＳ２に進める。
【００２６】
ステップＳ２では、制御部１５が、この照度センサ１１により取り込んだ照度情報に基づいてメモリ１４に記憶されている転送量テーブルを参照することで、表示制御部２２からドライバ部２１に転送する表示情報の、当該照度情報で示される照度に対応する転送レートを検出する。
【００２７】
一例ではあるが、この実施の形態の携帯電話機の場合、転送量テーブルには、
１．照度が５００〜４９９９ルクスである場合の転送レートは３０ｆｐｓ、
２．照度が５００ルクス未満である場合の転送レートは２０ｆｐｓ、
３．照度が５０００ルクス以上である場合の転送レートは１５ｆｐｓ
等のように、各照度を示す情報と該各照度毎の転送レートを示す情報とが関連付けされて記憶されている。
【００２８】
制御部１５は、ステップＳ２において転送量テーブルを参照することで、上記照度情報により示される照度が５００〜４９９９ルクスであると判別した場合、この照度は、室内等における標準的な明るさを示すため、制御部１５は処理をステップＳ３に進め、当該携帯電話機におけるドライバ部２１及び表示制御部２２間の通常の転送レートである３０ｆｐｓで表示情報の転送を行うように該表示制御部２２を制御する。これにより、当該携帯電話機の周囲の明るさが標準的な明るさである場合には、表示制御部２２からドライバ部２１に対して３０ｆｐｓの通常の転送レートで表示情報が転送され、ドライバ部２１から表示部５に対して６０ｆｐｓの固定の転送レートで表示情報が転送され、該表示情報の通常の表示がなされることとなる。
【００２９】
これに対して、制御部１５は、ステップＳ２において転送量テーブルを参照することで、上記照度情報により示される照度が５０００ルクス以上であると判別した場合（明光下時）、例えば当該携帯電話機が屋外の太陽光下にあり、周囲の照度が非常に明るいことを示すため、制御部１５は処理をステップＳ４に進め、ドライバ部２１及び表示制御部２２間の転送レートが、上記通常時の約半分の転送レートである１５ｆｐｓの転送レートとなるように該表示制御部２２を制御する。これにより、当該携帯電話機の周囲の明るさが非常に明るい場合には、表示制御部２２からドライバ部２１に対して１５ｆｐｓの低い転送レートで表示情報が転送され、ドライバ部２１から表示部５に対して６０ｆｐｓの固定の転送レートで表示情報が転送され、該表示情報の表示がなされることとなる。
【００３０】
当該携帯電話機が屋外の太陽光下等の非常に明るい場所にあると、ユーザは表示画面自体が見にくくなるため、転送レートを低くしても、この変化には気づかれにくい。このため、当該携帯電話機の周囲が非常に明るい場合に、ドライバ部２１及び表示制御部２２間における表示情報の転送レートを、通常時の約半分の転送レートに制御することで、ユーザによる動画等の視聴に支障を来すことなく、消費電力の削減を図ることができる。
【００３１】
一方、制御部１５は、ステップＳ２において転送量テーブルを参照することで、上記照度情報により示される照度が５００ルクス未満であると判別した場合（暗光下時）、当該携帯電話機が暗い場所にあることを示すため、制御部１５は処理をステップＳ５に進め、ドライバ部２１及び表示制御部２２間の転送レートが、上記通常時の約２／３程度の転送レートである２０ｆｐｓの転送レートとなるように該表示制御部２２を制御する。これにより、当該携帯電話機の周囲が暗い場合には、表示制御部２２からドライバ部２１に対して２０ｆｐｓの低い転送レートで表示情報が転送され、ドライバ部２１から表示部５に対して６０ｆｐｓの固定の転送レートで表示情報が転送され、該表示情報の表示がなされることとなる。
【００３２】
当該携帯電話機が暗い場所にあると、人間の目の感度が落ちるため、ユーザは表示される動画等のフレーム数の変化に気づきにくくなる。すなわち、当該携帯電話機が暗い場所にある場合、通常のフレーム数の場合とフレーム数を削減した場合とで、人間の目には見分けが付きにくくなる。このため、暗光下時には、ドライバ部２１及び表示制御部２２間の表示情報の転送レートを、上記通常時の約２／３程度の転送レートに低減することで、上記明光下時と同様に、ユーザによる動画等の視聴に支障を来すことなく、消費電力の削減を図ることができる。
【００３３】
［実施の形態の効果］
以上の説明から明らかなように、この実施の形態の携帯電話機は、当該携帯電話機の周囲の照度に応じて、ドライバ部２１及び表示制御部２２間における表示情報の転送レートを可変制御する。これにより、ユーザによる動画等の視聴に支障を来すことなく、消費電力の削減を図ることができる。
【００３４】
近年において、ＬＣＤ等の表示部５の高精細化が進んでおり、この高精細化が進むほど、表示情報の転送量は増えることとなるが、この実施の形態の携帯電話機のように、本発明を適用することで、表示情報の転送量が増えることによる消費電力の増加を抑制することができる。
【００３５】
［変形例］
上述の実施の形態の説明では、転送量テーブルに予め既定されている各照度毎の転送レートで、ドライバ部２１及び表示制御部２２間における表示情報の転送レートを可変制御することとしたが、この転送レートを、ユーザがマニュアル操作で所望の転送レートに設定可能としてもよい。
【００３６】
また、上述の実施の形態の説明では、暗光下時、通常時、及び明光下時の３段階に分けて上記転送レートを可変制御することとしたが、例えば
１．照度が４００ルクス未満である場合の転送レートを１８ｆｐｓ、
２．照度が４００ルクス〜４９９ルクスである場合の転送レートを２０ｆｐｓ、
３．照度が５００〜２９９９ルクスである場合の転送レートを３０ｆｐｓ、
４．照度が３０００〜４９９９ルクスである場合の転送レートは１８ｆｐｓ、
５．照度が５０００ルクス以上である場合の転送レートは１５ｆｐｓ
等のように各照度に応じて多段階で上記上記転送レートを可変制御してもよい。この場合でも、上述と同じ効果を得ることができる。
【００３７】
また、上述の実施の形態の説明は、本発明を携帯電話機に適用した例であったが、本発明を、ＰＨＳ電話機（PHS：Personal Handyphone System）、ＰＤＡ装置（PDA：Personal Digital Assistant）、携帯ゲーム機、ノート型のパーソナルコンピュータ装置、デジタルカメラ装置、ビデオカメラ装置等の他の携帯機器に適用してもよい。いずれの場合も上述と同じ効果を得ることができる。
【００３８】
最後に、本発明は、一例として説明した上述の実施の形態に限定されることはなく、本発明に係る技術的思想を逸脱しない範囲であれば、設計等に応じて種々の変更が可能であることは勿論であることを付け加えておく。
【図面の簡単な説明】
【００３９】
【図１】本発明を適用した実施の形態の携帯電話機のブロック図である。
【図２】実施の形態の携帯電話機における表示機能の概略的なブロック図である。
【図３】実施の形態の携帯電話機における表示情報の転送レートの可変制御の流れを示すフローチャートである。
【符号の説明】
【００４０】
１  アンテナ、２  通信回路、３  スピーカ部、４  マイクロホン部、５  表示部、６  操作部、７  発光部（ＬＥＤ）、８  カメラ部、９  バイブレーションユニット、１０  タイマ、１１  照度センサ、１２  デジタル放送用アンテナ、１３  デジタルテレビジョン放送受信部（デジタルＴＶ放送受信部）、１４  メモリ、１５  制御部、２１  ドライバ部（ＬＣＤドライバ）、２２  表示制御部（ＬＣＤコントローラ：ＬＣＤＣ）
【図１】
2009058691.tif 000003
【図２】
2009058691.tif 000004
【図３】
2009058691.tif 000005